(57)【要約】【課題】  払い出し装置に対する異物混入及び不正行為を防止することができるようにした遊技機を提供する。【解決手段】  ホッパー装置３１の排出口３３から排出されたメダル３０は、排出通路４０を通ってメダル払い出し口２２からメダル受け皿２３に払い出されるようにし、排出通路４０の後方下部に固定通路部４１を、前方下部に可動通路部４２をそれぞれ配設する。可動通路部４２は、ピン４５を回動軸として上下方向に回動自在であり、メダルの払い出しが行われているときを除いて、常に閉鎖位置に移動して排出通路４０を閉鎖する。【選択図】        図３
2005118438.tif 000002
【特許請求の範囲】
【請求項１】
遊技の際の制御によって付与価値を払い出す払い出し装置と、前記払い出し装置から払い出された前記付与価値を受ける受け部と、前記払い出し装置から払い出された前記付与価値を前記受け部まで導く排出通路とを備えた遊技機において、
前記排出通路を閉鎖して前記付与価値が前記受け部に達することを不可能とする閉鎖位置と、前記排出通路を開放して前記付与価値が前記受け部に達することを可能とする開放位置とに移動自在な可動通路部と、
前記払い出し装置から前記付与価値を払い出すか否かの制御に応じて、前記閉鎖位置と前記開放位置とに選択的に移動するよう前記可動通路部を作動させる駆動装置とを備えたことを特徴とする遊技機。
【請求項２】
前記可動通路部が前記閉鎖位置にあるか否かを検知する閉鎖検知装置を備えたことを特徴とする請求項１記載の遊技機。
【請求項３】
前記可動通路部が前記開放位置にあるか否かを検知する開放検知装置を備えたことを特徴とする請求項１または請求項２記載の遊技機。
【発明の詳細な説明】
【技術分野】
【０００１】
本発明は、パチンコ店などの遊技場に設置して使用されるスロットマシン等の遊技機に関するものである。
【背景技術】
【０００２】
パチンコ店などの遊技場に設置して使用されるスロットマシンはパチスロ機と称されている。このようなパチスロ機の場合、遊技を行う際に遊技における付与価値であるメダルを、所定枚数投入することで遊技を行うことが可能となる。遊技を行って入賞を得た場合には、パチスロ機の内部に設けられたホッパー装置が駆動し、入賞に対する払い出し枚数となるメダルがホッパー装置の排出口から排出され、そして、排出されたメダルは排出通路を通り、払い出し口から受け皿に払い出されるようになっている。なお、付与価値は、遊技利益として獲得させる遊技媒体であり、遊技球などを用いることもできる。
【発明の開示】
【発明が解決しようとする課題】
【０００３】
しかしながら、スロットマシンの払い出し口と、ホッパー装置の排出口に至る排出通路は常に開放されているため、メダルの払い出しが行われていない状態で針金等の異物を払い出し口からホッパー装置に達するまで挿入し、ホッパー装置を誤作動させるなどして不正にメダルを払い出させるという行為が行われるという問題がある。
【０００４】
本発明は、払い出し装置に対する異物混入及び不正行為を防止することができるようにした遊技機を提供することを目的とする。
【課題を解決するための手段】
【０００５】
本発明の遊技機は、遊技の際の制御によって付与価値を払い出す払い出し装置と、前記払い出し装置から払い出された前記付与価値を受ける受け部と、前記払い出し装置から払い出された前記付与価値を前記受け部まで導く排出通路とを備えたものであって、前記排出通路を閉鎖して前記付与価値が前記受け部に達することを不可能とする閉鎖位置と、前記排出通路を開放して前記付与価値が前記受け部に達することを可能とする開放位置とに移動自在な可動通路部と、前記払い出し装置から前記付与価値を払い出すか否かの制御に応じて、前記閉鎖位置と前記開放位置とに選択的に移動するよう前記可動通路部を作動させる駆動装置とを備えたことを特徴とするものである。
【０００６】
また、前記可動通路部が前記閉鎖位置にあるか否かを検知する閉鎖検知装置を備えることが好適である。
【０００７】
また、前記可動通路部が前記開放位置にあるか否かを検知する開放検知装置を備えることが好適である。
【発明の効果】
【０００８】
本発明の遊技機は、メダルの払い出しが行われていない状態において排出通路を可動通路部によって閉鎖することができ、したがって針金等の異物が挿入されることを防止することができ、払い出し装置に対する不正行為を防止することができる。
【０００９】
また、付加価値を排出するための可動通路部が閉鎖位置にあるか否かを検知する閉鎖検知装置を備えることによって、払い出し装置に対する不正行為が行われる際に可動通路部が移動させられたことを検知することができる。
【００１０】
また、付加価値を排出するための可動通路部が開放位置にあるか否かを検知する開放検知装置を備えることによって、払い出される付与価値が確実に排出されるよう可動通路部の位置を確認することができるとともに、払い出し装置に対する不正行為が行われる際に可動通路部が移動させられたことを検知することができる。
【発明を実施するための最良の形態】
【００１１】
図１に示すように、スロットマシン（遊技機）２は、筐体３の前面に設けられた２枚の前面扉（以下、上部前面扉４及び下部前面扉５とする）を有している。これら前面扉のうち上部前面扉４には表示窓６が設けられ、この表示窓６の奥に第１リール７ａ、第２リール７ｂ、第３リール７ｃが配置される。周知のように、第１〜第３リール７ａ〜７ｃの外周には様々な図柄が一定ピッチで配列され、リールが停止した状態では対応する表示窓６を通して１リール当たり３個の図柄が観察される。これにより、各リールの図柄を１個ずつ組み合わせた直線状の入賞ラインが横３本斜め２本の合計５本設定されている。この第１〜第３リール７ａ〜７ｃの側方には液晶表示装置８が設けられ、例えばアニメーション表示を利用した演出を行う。なお、表示窓６の個数は１つに限定する必要はなく、例えば各々のリール毎に表示窓を設けるようにしても良い
【００１２】
下部前面扉５の上部には、遊技の開始時に操作される１枚ベットボタン１０、ＭＡＸベットボタン１１、ペイアウトボタン１２などの各種の操作ボタンが設けられる。なお、これらの操作ボタンの機能はいずれも周知であるので、その詳細については省略する。また、これら操作ボタンの下部には、メダルベットが行われた後に操作されるスタートレバー１５や、スタートレバー１５の操作により回転するリールを停止させる第１〜第３ストップボタン１６〜１８等が設けられる。
【００１３】
また、下部前面扉５には、遊技を行う際にメダル（付与価値）３０（図２参照）を投入するためのメダル投入口２０が設けられている。メダル投入口２０からのメダル経路にはセレクタ２１が組み込まれ、投入されたメダルが不適正なメダルであった場合にはメダル払い出し口２２を介してメダル受け皿（受け部）２３に排出される。また、セレクタ２１は、例えば遊技の途中や各種の操作ボタンが押されたままの状態で投入された等の不適切なタイミングでメダル３０の投入が行われたときに、投入されたメダル３０をメダル受け皿２３に排出する。なお、遊技の開始に先立って投入するメダル３０の枚数は１〜３枚に限られているため、クレジット機能を用いていないとき、またはクレジット機能における上限数に達しているときには４枚目以降に投入されたメダル３０はメダル受け皿２３に排出される。
【００１４】
一方、クレジット機能がオン状態のときには４枚目以降に投入されたメダル３０は、図示しないメダルセンサで検知され、５０枚を限度にスロットマシン２の内部に貯留される。なお、貯留されたメダル３０の枚数は、クレジット枚数表示器２５でデジタル表示される。このクレジット機能を用いているときには、前述した１枚ベットボタン１０やＭＡＸベットボタン１１の操作に応じたメダル３０の投入信号が生成され、そのベット枚数がクレジット枚数から逐次に減算される。また、遊技の結果、当選役を構成する図柄を停止させ、入賞が得られたときには配当となるメダル３０もクレジット機能における上限数に達するまでクレジットされ、ペイアウトボタン１２を操作したときにクレジットされているメダル３０がメダル受け皿２３に払い出される。
【００１５】
図２に示すように、筐体３の下部には、ホッパー装置（払い出し装置）３１及びオーバーフロー用の貯留箱３２が設けられる。ホッパー装置３１は、このスロットマシン２で遊技を行って入賞を得た場合に作動し、ホッパー装置３１の前面に設けられた排出口３３より入賞とした当選役に応じた枚数のメダル３０を１枚ずつ排出する。このホッパー装置３１の上部には、払い出し用のメダル３０を貯留する貯留タンク３４が設けられている。なお、この貯留タンク３４には、メダル投入口２０から投入された正規のメダル３０が貯留される。オーバーフロー用の貯留箱３２は、ホッパー装置３１の貯留タンク３４に貯留されたメダル３０が所定量を超えたときに、貯留タンク３４から排出されたメダル３０を貯留する。ホッパー装置３１の排出口３３の前方には、排出口３３から排出されたメダルをメダル払い出し口２２まで誘導する排出通路４０が設けられている。
【００１６】
排出通路４０の構成を図３及び図４に示す。図３は、下部前面扉５及びホッパー装置３１及び排出通路４０を、スロットマシン２における右側方から見た概略関係図であり、図４は、下部前面扉５及びホッパー装置３１及び排出通路４０を、スロットマシン２における上方から見た概略関係図である。
【００１７】
排出通路４０は、後方下部に固定通路部４１と、前方下部に板状の可動通路部４２と、後方から前方に亘る左右側部それぞれに側板４３と、後方から前方に亘る上部に蓋板４４とが設けられた管状となっている。可動通路部４２は、排出通路４０を構成する一部であり、固定通路部４１と可動通路部４２とにより、ホッパー装置３１から排出されたメダル３０は滑り落ちるようになっている。固定通路部４１は前部より後部が高いスロープを形成しており、排出口３３から排出されたメダル３０は、固定通路部４１の後部上に落下した後、固定通路部４１の上面を前方へと滑り落ちる。側板４３は、固定通路部４１と一体となるよう固定通路部４１の左右部に固着されており、蓋板４４は、左右の側板４３と一体となるよう側板４３それぞれの上部に固着されている。また、固定通路部４１は、説明を省略するブラケットによって下部前面扉５の後側に取り付けられている。なお、固定通路部４１が取り付けられるものは、下部前面扉５の後ろ側に限られず、排出口３３の前方に固定されるよう取り付けられるものであれば、ホッパー装置３１に取り付けるとするなど、適宜のものとして良い。
【００１８】
可動通路部４２の後部には孔４２ａが左右に亘って設けられており、側板４３のそれぞれには軸受け４３ａが左右に亘って設けられている。孔４２ａ及び軸受け４３ａをそれぞれの中心軸が同軸となるように配置し、１本の円柱状のピン４５を孔４２ａ及び軸受け４３ａに挿通することによって、可動通路部４２は、左右の側板４３それぞれと上下方向に回動自在に連結されている。さらに、ピン４５を回動させると可動通路部４２がピン４５と一体となって回動するよう、ピン４５は孔４２ａに固着されている。可動通路部４２は、固定通路部４１の前端部下面に可動通路部４２の後端部上面が当接する開放位置から、可動通路部４２の前端部が蓋板４４の前端部下面に当接する閉鎖位置まで回動可能となっている。図３において、開放位置にある可動通路部４２を実線及び破線にて示し、閉鎖位置にある可動通路部４２を二点鎖線にて示す。可動通路部４２が開放位置にあるときには、排出通路４０はメダル払い出し口２２からメダルが払い出されることが可能となるように開放され、前部より後部が高いスロープが可動通路部４２の上面によって形成され、固定通路部４１の前端部から滑り落ちたメダル３０は、可動通路部４２の後部上に落下した後、可動通路部４２の上面を前方へと滑り落ちる。可動通路部４２が閉鎖位置にあるときには、可動通路部４２によって排出通路４０はメダル払い出し口２２からメダルが払い出されることが不可能となるように閉鎖され、固定通路部４１の上面を滑り落ちてきたメダル３０は、可動通路部４２の上面によって排出通路４０の途中にて塞き止められる。
【００１９】
ピン４５の左端には従動ギア５０が固着されており、従動ギア５０が回動するとピン４５も一体となって回動する。
【００２０】
排出通路４０の左側には、モーター（駆動装置）５１が配設されており、モーター５１の駆動軸５１ａの先端には駆動ギア５２が固着されている。駆動ギア５２は、従動ギア５０と噛み合っており、モーター５１が駆動軸５１ａを回動させると、駆動ギア５２及び従動ギア５０を介して、ピン４５と可動通路部４２とが一体となって回動する。また、モーター５１は、説明を省略したブラケットによって側板４３に取り付けられている。なお、モーター５１が取り付けられるものは、駆動ギア５２と従動ギア５０とが噛み合うように取り付けられるものであれば、下部前面扉５の後ろ側に取り付けるとするなど、適宜のものとして良い。
【００２１】
排出装置４０の先端上部には、閉鎖位置にある可動通路部４２の先端部を検知するフォトセンサ（閉鎖検知装置）５３が配設されている。排出装置４０の先端下部には、開放位置にある可動通路部４２の先端部を検知するフォトセンサ（開放検知装置）５４が配設されている。可動通路部４２の先端部をフォトセンサ５３，５４それぞれが検知するか否かによって、可動通路部４２が閉鎖位置にあるか否か及び開放位置にあるか否かが検知される。
【００２２】
モーター５１の駆動は、スロットマシン２の内部に設けられた制御回路基板５５による駆動信号を受信することにによって制御される。また、フォトセンサ５３，５４のそれぞれが可動通路部４２の先端部を検知したことを伝える検知信号は、配線などを介して制御回路基板５５に入力される。制御回路基板５５はモーター５１の駆動を制御して可動通路部４２を閉鎖位置と開放位置とに選択的に移動させる。さらに、制御回路基板５５は、ホッパー装置３１の駆動も制御しており、モーター５１の駆動を、ホッパー装置３１のメダル払い出し動作と連動するよう制御する。また、制御回路基板５５は、スロットマシン２に設けられたスピーカー５７や、液晶表示装置８等の駆動も制御している。なお、制御回路基板５５は、遊技操作に基づいて抽選をして入賞させるための当選役を決定する等のスロットマシン２の遊技における主要な制御命令を生成したり、また、主要な制御命令に従ってスロットマシン２の所定装置を制御したりする等の機能を適宜付加しても良い。
【００２３】
次に、このようなスロットマシン２の作用について、図５のフローチャートを基に説明する。先ず、電源をＯＮにするとスロットマシン２は動作を開始する。スロットマシン２は、初期動作として排出通路４０を閉鎖する。このとき、制御回路基板５５がモーター５１を駆動して可動通路部４２を閉鎖位置へと移動する。フォトセンサ５３から検知信号が制御回路基板５５に入力されると、制御回路基板５５はモーター５１の駆動を停止させる。モーター５１を駆動させ始めてから、可動通路部４２を閉鎖位置に移動する際の異常時間として設定された時間を経過してもフォトセンサ５３から検知信号が入力されなかった場合、制御回路基板５５はエラー処理を行って、排出通路４０を閉鎖する制御に異常が発生していることを遊技場の管理者等に報知する。エラー処理は、スピーカー５７から警告音を再生したり、液晶表示装置８に警告表示を行ったり、スロットマシン２の動作を一時停止させるなどの適宜の方法を用いて行う。
【００２４】
排出通路４０を閉鎖した後、スロットマシン２は遊技が行える状態となる。スロットマシン２にメダル投入を行って、スタートレバー１５を操作すると遊技が開始され、第１〜第３リール７ａ〜７ｃが回転する。そして、遊技者が第１〜第３ストップボタン１６〜１８を操作すると、第１〜第３リール７ａ〜７ｃのうち、操作されたストップボタンに対応するリールが停止する。そして、第１〜第３リール７ａ〜７ｃが停止し、予め設定された入賞ライン上に同一の図柄が揃ったときや、所定の位置に特定の図柄が停止されたときに入賞となる。
【００２５】
遊技の結果、入賞となる場合、制御回路基板５５はホッパー装置３１を作動させる前に排出通路４０を開放する。このとき、制御回路基板５５がモーター５１を駆動して可動通路部４２を開放位置へと移動する。フォトセンサ５４から検知信号が制御回路基板５５に入力されると、制御回路基板５５はモーター５１の駆動を停止させる。モーター５１を駆動させ始めてから、可動通路部４２を開放位置に移動する際の異常時間として設定された時間を経過してもフォトセンサ５４から検知信号が入力されなかった場合、制御回路基板５５はエラー処理を行って、排出通路４０を開放する制御に異常が発生していることを遊技場の管理者等に報知する。エラー処理は、スピーカー５７から警告音を再生したり、液晶表示装置８に警告表示を行ったり、スロットマシン２の動作を一時停止させるなどの適宜の方法を用いて行う。
【００２６】
排出通路４０を開放させた後、制御回路基板５５は、ホッパー装置３１を駆動させ、排出口３３からメダル３０を排出させる。排出口３３から排出されたメダル３０は、排出通路４０の固定通路部４１及び可動通路部４２それぞれの上面を滑り落ち、メダル払い出し口２２からメダル受け皿２３に払い出される。入賞に対する払い出し枚数となるメダル３０が排出されると、制御回路基板５５はホッパー装置３１を停止させ、メダルの払い出しは終了する。
【００２７】
メダルの払い出し終了後、制御回路基板５５は上記と同じ手順で排出通路４０を閉鎖する。電源がＯＦＦにされるまで上記の処理が繰り返される。このように、メダルの払い出しが行われているときを除いて、常に可動通路部４２は閉鎖位置にあり、即ち排出通路４０は常に閉鎖されるので、針金等の異物を排出通路４０に挿入されることを防止することができ、払い出し装置に対する不正行為を防止することができる。
【００２８】
なお、上記実施形態では、可動通路部４２を回動させる駆動装置としてモーター５１を用いたが、可動通路部４２を閉鎖位置と開放位置とに移動できるものであれば、適宜の駆動装置を用いて良い。
【００２９】
なお、上記実施形態では、閉鎖検知装置及び開放検知装置としてそれぞれフォトセンサ５３，５４を用いたが、閉鎖検知装置は可動通路部４２が閉鎖位置にあるか否かを検知できれば良く、開放検知装置は可動通路部４２が開放位置にあるか否かを検知できれば良いので、閉鎖検知装置及び開放検知装置それぞれの形態は、機械式のスイッチを用いるなど適宜の形態を用いて良い。また、設けられる閉鎖検知装置及び開放検知装置それぞれの個数は、上記の１個ずつに限らず、適宜の数として良い。
【００３０】
上記実施形態では、可動通路部４２は上下方向に移動可能な形態であったが、排出通路４０を閉鎖する閉鎖位置と開放する開放位置とに移動可能であれば、例えば左右方向に移動可能であるとするなど、適宜の形態として良い。
【図面の簡単な説明】
【００３１】
【図１】スロットマシンの外観を示す斜視図である。
【図２】スロットマシンの下部の内部を示す斜視図である。
【図３】排出通路の構成を示す概略関係図である。
【図４】排出通路の構成を示す概略関係図である。
【図５】スロットマシンの動作の流れを示すフローチャートである。
【符号の説明】
【００３２】
２  スロットマシン（遊技機）
２３  メダル受け皿（受け部）
３１  ホッパー装置（払い出し装置）
４０  排出通路
４２  可動通路部
５１  モーター（駆動装置）
５３  フォトセンサ（閉鎖検知装置）
５４  フォトセンサ（開放検知装置）
【図１】
2005118438.tif 000003
【図２】
2005118438.tif 000004
【図３】
2005118438.tif 000005
【図４】
2005118438.tif 000006
【図５】
2005118438.tif 000007